(57)【要約】【課題】各スラットに配置した太陽電池セルに対して好適に配線する。【解決手段】太陽電池ブラインド１０は、建物の開口部に配置される。太陽電池ブラインド１０は、縦方向に配列される複数のスラット１２と、各スラット１２に設けられる太陽電池セル１４と、スラット１２の長さ方向両端から横方向に突出する、太陽電池セル１４と導通するピン状電極２６と、開口部の方立１に設けられる、ピン状電極２６をスライド可能に保持するガイドレール３２と、ガイドレール３２に形成された配線空間３６内に固定的に配置される、各スラット１２の太陽電池セル１４を電気的に接続するためのリード線３０と、リード線３０に形成された、ピン状電極２６と電気的に接触するための電極とを備える。【選択図】図４
2019065542.tif 000002
【特許請求の範囲】
【請求項１】
建物の開口部に配置される太陽電池ブラインドであって、
縦方向に配列される複数のスラットと、
各スラットに設けられる太陽電池セルと、
前記スラットの長さ方向両端から横方向に突出する、前記太陽電池セルと導通するピン状電極と、
前記開口部の縦枠に設けられる、前記ピン状電極をスライド可能に保持するガイドレールと、
前記ガイドレールに形成された配線空間内に固定的に配置される、各スラットの前記太陽電池セルを電気的に接続するための配線と、
前記配線に形成された、前記ピン状電極と電気的に接触するための電極と、
を備えることを特徴とする太陽電池ブラインド。
【請求項２】
前記配線は、絶縁体で被覆されたリード線から成り、
前記電極は、前記リード線から被覆が剥がされて導体が露出した部分であることを特徴とする請求項１に記載の太陽電池ブラインド。
【請求項３】
前記配線は、表面が絶縁体で被覆されたプリント配線から成り、
前記電極は、前記プリント配線から被覆が剥がされて導体が露出した部分であることを特徴とする請求項１に記載の太陽電池ブラインド。
【請求項４】
前記スラットは、第１スラットと、前記第１スラットの下方に位置する第２スラットとを含み、
前記ピン状電極は、前記第１スラットに設けられる第１ピン状電極と、前記第２スラットに設けられる第２ピン状電極とを含み、
前記配線は、第１配線と、第２配線とを含み、
前記電極は、前記第１配線に形成された第１電極と、前記第２配線に形成された第２電極とを含み、
前記第１スラットが所定の第１位置にあり且つ前記第２スラットが所定の第２位置にあるとき、前記第１ピン状電極は前記第１電極と電気的に接触し、前記第２ピン状電極は前記第２電極と電気的に接触し、
前記第２スラットが前記第２位置から前記第１位置に移動したときに、前記第２ピン状電極が前記第１配線の前記第１電極に電気的に接触することを特徴とする請求項１から３のいずれかに記載の太陽電池ブラインド。
【発明の詳細な説明】
【技術分野】
【０００１】
本発明は、太陽電池セルを備えたブラインドである太陽電池ブラインドに関する。
【背景技術】
【０００２】
従来より、エネルギー効率を向上する目的で、複数のスラットのそれぞれに太陽電池セルを配置した太陽電池ブラインドが知られている（例えば特許文献１参照）。
【先行技術文献】
【特許文献】
【０００３】
【特許文献１】特開２０００−３４０８２４号公報
【発明の概要】
【発明が解決しようとする課題】
【０００４】
このような太陽電池ブラインドでは、通常、各スラットに配置した太陽電池セルから出力を取り出すためにリード線が配線される。しかしながら、スラットを引き上げて畳んだときにリード線が嵩張るという課題がある。
【０００５】
本発明は、このような課題に鑑みてなされ、その目的は、各スラットに配置した太陽電池セルに対して好適に配線し得る太陽電池ブラインドを提供することにある。
【課題を解決するための手段】
【０００６】
上記課題を解決するために、本発明のある態様の太陽電池ブラインドは、建物の開口部に配置される太陽電池ブラインドであって、縦方向に配列される複数のスラットと、各スラットに設けられる太陽電池セルと、スラットの長さ方向両端から横方向に突出する、太陽電池セルと導通するピン状電極と、開口部の縦枠に設けられる、ピン状電極をスライド可能に保持するガイドレールと、ガイドレールに形成された配線空間内に固定的に配置される、各スラットの太陽電池セルを電気的に接続するための配線と、配線に形成された、ピン状電極と電気的に接触するための電極とを備える。
【発明の効果】
【０００７】
本発明によれば、各スラットに配置した太陽電池セルに対して好適に配線し得る太陽電池ブラインドを提供できる。
【図面の簡単な説明】
【０００８】
【図１】本発明の実施形態に係る太陽電池ブラインドを建物の開口部に取り付けた状態を示す概略正面図である。
【図２】図１のＡ−Ａ概略断面図である。
【図３】本発明の実施形態に係る太陽電池ブラインドの構成をより詳細に説明するための概略斜視図である。
【図４】本発明の実施形態に係る太陽電池ブラインドの要部概略断面図である。
【図５】本発明の実施形態に係る太陽電池ブラインドにおいて、各スラットのピン状電極とリード線の接続状態を説明するための図である。
【図６】本発明の実施形態に係る太陽電池ブラインドにおいて、各スラットのピン状電極とリード線の接続状態を説明するための図である。
【図７】本発明の実施形態に係る太陽電池ブラインドにおいて、図５に示す状態に対して各スラットがスラット１枚分上がったときの各スラットのピン状電極とリード線の接続状態を説明するための図である。
【図８】本発明の実施形態に係る太陽電池ブラインドにおいて、図６に示す状態に対して各スラットがスラット１枚分上がったときの各スラットのピン状電極とリード線の接続状態を説明するための図である。
【図９】本発明の実施形態に係る太陽電池ブラインドの変形例を説明するための要部概略断面図である。
【図１０】本発明の別の実施形態に係る太陽電池ブラインドを説明するための図である。
【図１１】本発明の別の実施形態に係る太陽電池ブラインドにおいて、図１０に示す状態に対して各スラットがスラット１枚分上がったときの各スラットのピン状電極とリード線の接続状態を説明するための図である。
【図１２】本発明のさらに別の実施形態に係る太陽電池ブラインドを説明するための図である。
【図１３】本発明のさらに別の実施形態に係る太陽電池ブラインドにおいて、図１２に示す状態に対して各スラットがスラット１枚分上がったときの各スラットのピン状電極とリード線の接続状態を説明するための図である。
【発明を実施するための形態】
【０００９】
以下、本発明を好適な実施の形態をもとに図面を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１０】
図１は、本発明の実施形態に係る太陽電池ブラインド１０を建物の開口部に取り付けた状態を示す概略正面図である。図１は、建物の開口部を室外側から見たものである。図２は、図１のＡ−Ａ概略断面図である。図１および図２に示すように、太陽電池ブラインド１０は、縦方向に延びる２つの方立１の間に配置される。図１および図２には、２つの太陽電池ブラインド１０が示されている。紙面左側の太陽電池ブラインド１０Ｌはスラットが閉じた状態を示し、紙面右側の太陽電池ブラインド１０Ｒはスラットが開いた状態を示す。
【００１１】
本実施形態で説明する建物は、カーテンウォール構造を有しており、方立１の室外側にはガラスパネル２が例えば構造シーラント３によって取り付けられている。また、構造シーラント３に代えて、例えばガスケットやシール材などの他の支持方法も利用できる。例えば、従来のカーテンウォールでは、ガラスパネルは方立や無目などの枠材に嵌め込まれ、シーリング材などによって拘束されている。また、従来のカーテンウォールに代えて、フレームレスを実現できる構造などあらゆる支持方法が利用できる。太陽電池ブラインド１０は、方立１の室内側に配置される。ガラスパネル２をアウタースキンとし、太陽電池ブラインド１０をインナースキンとして見れば、ガラスパネル２と太陽電池ブラインド１０の間に空気層４が形成されたダブルスキン構造のカーテンウォールと近い状態をつくることができる。ガラスパネル２と太陽電池ブラインド１０の間に形成される空気層４は、冬期には断熱層として機能するため、室内側の暖房効率を向上することができる。また、夏期にはブラインドの効果によって室内側へ流入する日射熱の割合は減少するが、ブラインドのスラットに貼り付けられたＰＶセルの光電効果によってさらに室内側へ流入する日射熱の割合を減少させることができる。
【００１２】
本実施形態に係る太陽電池ブラインド１０は、横方向に長尺な複数（ここでは１０枚）のスラット１２を縦方向にすだれ状に配列して構成される。各スラット１２は、例えば横長の略矩形状に形成される。各スラットには、複数の太陽電池セル１４が配置される。
【００１３】
太陽電池ブラインド１０はさらに、ヘッドボックス１６と、ボトムレール１８と、ラダーコード２０と、昇降コード２２とを備える。
【００１４】
ヘッドボックス１６は複数のスラット１２の上段に設けられ太陽電池ブラインド１０の最上段を構成する。図１に示すように、ヘッドボックス１６は、建物のブラインド取付面５に固定される。ヘッドボックス１６にはスラット１２の角度調整機構（図示せず）および昇降機構（図示せず）などが内蔵される。
【００１５】
ボトムレール１８は、複数のスラット１２の下段に設けられ太陽電池ブラインド１０の最下段を構成する。
【００１６】
ラダーコード２０は、太陽電池ブラインド１０のスラット１２の角度を調節するためのコード部材である。ラダーコード２０は、各スラット１２の幅方向の両サイドに結合される。ラダーコード２０の上端は、ヘッドボックス１６内の角度調整機構（図示せず）に連結される。
【００１７】
昇降コード２２は、スラット１２の昇降を制御するためのコード部材である。昇降コード２２は、スラット１２に穿設された貫通孔２４に挿通される。この昇降コード２２は、上方のスラット１２から順に引き上げてヘッドボックス１６内に畳んで収納し、また、下方のスラット１２から順にヘッドボックス１６から下降させて、スラット１２を鉛直下方に広げることができるようになっている。
【００１８】
図３は、太陽電池ブラインド１０の構成をより詳細に説明するための概略斜視図である。上述したように、複数のスラット１２が縦方向に配列されている。各スラット１２の一方の表面上には複数の太陽電池セル１４がスラット１２の長さ方向に沿って配置されている。各スラットには貫通孔２４が穿設されており、該貫通孔２４には昇降コード２２が挿通されている。各スラットの幅方向の両端にはラダーコード２０が連結されている。
【００１９】
各スラット１２に配置された複数の太陽電池セル１４は、互いに直列に接続される。太陽電池セルは光起電力効果を利用し、光エネルギーを電力に変換するように構成される。
【００２０】
図３に示すように、本実施形態に係る太陽電池ブラインド１０においては、スラット１２は２枚の板状部材１１，１３を貼り合わせることによって形成されている。板状部材１１，１３は、例えばポリカーボネート等の樹脂やガラスで形成された透明な板状体であってよい。あるいは、スラット１２は樹脂やガラスで一体成形されてもよい。なお、本明細書において「透明」とは、可視光に対して透明であること、すなわち可視光を透過可能であることを意味する。
【００２１】
本実施形態において、２枚の板状部材１１，１３は、互いに幅方向に若干ずれるように張り合わされている。これにより、図３に示すように各スラット１２には幅方向両端に段部１５が形成される。あるいは、スラット１２を一体成形する場合は、縁端部が長手方向に欠損するように成形することにより段部１５を形成してもよいし、成形後に縁端部を長手方向に切削加工することにより段部１５を形成してもよい。この段部１５はスラット１２を閉じたときに隣接するスラット１２の段部１５と係合するので、スラット１２の間に隙間が生じ難くなる。これにより、ガラスパネル２と太陽電池ブラインド１０の間の空気層４（図２参照）の気密性を高めることができるので、室内側の暖房効率を向上することができる。
【００２２】
各スラット１２は、長さ方向両端から横方向に突出するピン状電極２６を有する。ピン状電極２６は、導電性を有する材料から成る細長い棒状体である。本実施形態において、各スラット１２のピン状電極２６は同じ長さである。ピン状電極２６は、２枚の板状部材１１，１３によって狭持されている。２枚の板状部材１１，１３の間に位置するピン状電極２６の一端は、そのピン状電極２６に最も近い太陽電池セル１４の電極に接続される。ピン状電極２６の他端は、後述するように、各スラット１２の太陽電池セル１４を電気的に接続するための配線の電極に接続される。各スラット１２において、複数の太陽電池セル１４は互いに直列に接続される。
【００２３】
図４は、本実施形態に係る太陽電池ブラインド１０の要部概略断面図である。図４に示すように、方立１の室内側には、方立１の長さ方向に沿って、スラット１２の昇降を案内するためのガイドレール３２が設けられている。図４に示す実施形態では、ガイドレール３２と方立１は、ステンレスやアルミニウム合金等の金属材料により一体的に形成される。あるいは、ガイドレール３２と方立１を別体として形成し、ガイドレール３２をボルト等により方立１に後付けする構成としてもよい。この場合、太陽電池ブラインドを既存の建物に採用することが可能となる。ガイドレール３２と方立１を別体として形成する場合、ガイドレール３２は方立１と同じ金属材料で形成されてもよいし、樹脂で形成されてもよい。
【００２４】
ガイドレール３２は、スラット側の側面に形成された縦長開口部３４と、縦長開口部３４と連通して形成された配線空間３６とを備える。スラット１２の端部から突出するピン状電極２６は、縦長開口部３４を介して配線空間３６内に配置される。ピン状電極２６は配線空間３６内にスライド可能に保持される。このようにスラット１２の両端から突出するピン状電極２６が方立１に設けられたガイドレール３２にスライド可能に保持されることにより、スラット１２をガイドレール３２に沿って昇降させることができる。ピン状電極２６がガイドレール３２に保持されることにより、スラット１２が揺れ動くのを防止できるので、ガラスパネル２と太陽電池ブラインド１０の間の空気層４（図２参照）の気密性がより高められ、室内側の暖房効率をより向上することができる。
【００２５】
上述したように、ガイドレール３２はステンレス等の金属材料で形成されている。従って、ピン状電極２６とガイドレール３２とを絶縁するために、縦長開口部３４および配線空間３６の内面には絶縁コーティングが施される。
【００２６】
スラット１２の左端から突出するピン状電極２６（以下、左ピン状電極２６Ｌ）が挿入される配線空間３６（以下、左配線空間３６Ｌ）内には、複数（ここでは１０本）のリード線３０（第１左リード線３０Ｌａ〜第１０左リード線３０Ｌｊ）が固定的に配置される。図４に示すように、これら１０本のリード線３０は、半分ずつ左ピン状電極２６Ｌを挟んで配置される。左ピン状電極２６Ｌを挟んだ状態において、各リード線３０は左ピン状電極２６Ｌに当接している。第１左リード線３０Ｌａ〜第５左リード線３０Ｌｅは、スラット１２に近い位置から順に、左配線空間３６Ｌにおける室外側の内壁に固定される。すなわち、第１左リード線３０Ｌａが最もスラット１２に近い位置に配置され、第５左リード線３０Ｌｅが最もスラット１２から離れた位置に配置される。一方、第６左リード線３０Ｌｆ〜第１０左リード線３０Ｌｊは、スラット１２に近い位置から順に、左配線空間３６Ｌにおける室内側の内壁に固定される。すなわち、第６左リード線３０Ｌｆが最もスラット１２に近い位置に配置され、第１０左リード線３０Ｌｊが最もスラット１２から離れた位置に配置される。
【００２７】
スラット１２の右端から突出するピン状電極２６（以下、右ピン状電極２６Ｒ）が挿入される配線空間３６（以下、右配線空間３６Ｒ）内には、複数（ここでは１０本）のリード線３０（第１右リード線３０Ｒａ〜第１０右リード線３０Ｒｊ）が固定的に配置される。図４に示すように、これら１０本のリード線３０は、半分ずつ右ピン状電極２６Ｒを挟んで配置される。右ピン状電極２６Ｒを挟んだ状態において、各リード線３０は右ピン状電極２６Ｒに当接している。第１右リード線３０Ｒａ〜第５右リード線３０Ｒｅは、スラット１２に近い位置から順に、右配線空間３６Ｒにおける室外側の内壁に固定される。すなわち、第１右リード線３０Ｒａが最もスラット１２に近い位置に配置され、第５右リード線３０Ｒｅが最もスラット１２から離れた位置に配置される。一方、第６右リード線３０Ｒｆ〜第１０右リード線３０Ｒｊは、スラット１２に近い位置から順に、右配線空間３６Ｒにおける室内側の内壁に固定される。すなわち、第６右リード線３０Ｒｆが最もスラット１２に近い位置に配置され、第１０右リード線３０Ｒｊが最もスラット１２から離れた位置に配置される。
【００２８】
図５および図６は、各スラットのピン状電極とリード線の接続状態を説明するための図である。図５および図６は、１０枚のスラット（第１スラット１２ａ〜第１０スラット１２ｊ）の全てが降りた全閉状態を示す。図５は、太陽電池ブラインド１０を室外側から見た図であり、図６は、太陽電池ブラインド１０を室内側から見た図である。
【００２９】
各スラットの左端からは左ピン状電極２６Ｌ（第１左ピン状電極２６Ｌａ〜第１０左ピン状電極２６Ｌｊ）が突出している。また、各スラットの右端からは右ピン状電極２６Ｒ（第１右ピン状電極２６Ｒａ〜第１０右ピン状電極２６Ｒｊ）が突出している。
【００３０】
図５に示すように、左配線空間３６Ｌの室外側には、スラットに近い位置から順に、第１左リード線３０Ｌａ〜第５左リード線３０Ｌｅが鉛直方向に配置される。また、右配線空間３６Ｒの室外側には、スラットに近い位置から順に、第１右リード線３０Ｒａ〜第５右リード線３０Ｒｅが鉛直方向に配置される。また、図６に示すように、左配線空間３６Ｌの室内側には、スラットに近い位置から順に、第６左リード線３０Ｌｆ〜第１０左リード線３０Ｌｊが鉛直方向に配置される。また、右配線空間３６Ｒの室内側には、スラットに近い位置から順に、第６右リード線３０Ｒｆ〜第１０右リード線３０Ｒｊが鉛直方向に配置される。図５および図６に示すように、各リード線の延在方向と各スラットのピン状電極の延在方向は垂直に交差している。
【００３１】
各リード線では導体が絶縁体で被覆されているが、各リード線にはそれぞれ一カ所ずつ絶縁体の被覆が剥がされて導体が露出した電極が形成されている。電極が形成される高さは、リード線毎に異なる。
【００３２】
例えば第１左リード線３０Ｌａは第１左ピン状電極２６Ｌａに対応し、第２左リード線３０Ｌｂは第２左ピン状電極２６Ｌｂに対応するといったように、各リード線はそれぞれ１つのピン状電極に対応している。各リード線の電極は、対応するピン状電極と交差する位置に形成される。すなわち、第１左リード線３０Ｌａ〜第１０左リード線３０Ｌｊと第１左ピン状電極２６Ｌａ〜第１０左リード線３０Ｌｊとのそれぞれの交差位置には、第１左電極３８Ｌａ〜第１０左電極３８Ｌｊが形成される。また、第１右リード線３０Ｒａ〜第１０右リード線３０Ｒｊと第１右ピン状電極２６Ｒａ〜第１０右リード線３０Ｒｊとのそれぞれの交差位置には、第１右電極３８Ｒａ〜第１０右電極３８Ｒｊが形成される。各ピン状電極は、対応するリード線の電極と電気的に接続される。
【００３３】
第１左リード線３０Ｌａ〜第１０左リード線３０Ｌｊは、外部接続の第１正極端子４０Ｌａ〜第１０正極端子４０Ｌｊに接続される。第１右リード線３０Ｒａ〜第１０右リード線３０Ｒｊは、外部接続の第１負極端子４０Ｒａ〜第１０負極端子４０Ｒｊに接続される。
【００３４】
図５に示すように、全てのスラットが降りているとき、第１スラット１２ａの第１左ピン状電極２６Ｌａは第１左リード線３０Ｌａの第１左電極３８Ｌａと接触し、第１右ピン状電極２６Ｒａは第１右リード線３０Ｒａの第１右電極３８Ｒａと接触している。従って、第１スラット１２ａ上に配置された太陽電池セル１４で生じた電力は、第１左リード線３０Ｌａおよび第１右リード線３０Ｒａを介して第１正極端子４０Ｌａおよび第１負極端子４０Ｒａにより取り出される。
【００３５】
第２スラット１２ｂ〜第１０スラット１２ｊについても同様であり、例えば図６に示すように第１０スラット１２ｊの第１０左ピン状電極２６Ｌｊは第１０左リード線３０Ｌｊの第１０左電極３８Ｌｊと接触し、第１０右ピン状電極２６Ｒｊは第１０右リード線３０Ｒｊの第１０右電極３８Ｒｊと接触している。従って、第１０スラット１２ｊ上に配置された太陽電池セル１４で生じた電力は、第１０左リード線３０Ｌｊおよび第１０右リード線３０Ｒｊを介して第１０正極端子４０Ｌｊおよび第１０負極端子４０Ｒｊにより取り出される。
【００３６】
まとめると、全てのスラットが降りているとき、第ｎスラット（ｎは１〜１０の整数）の第ｎ左ピン状電極は第ｎ左リード線の第ｎ左電極と接触し、第ｎ右ピン状電極は第ｎ右リード線の第ｎ右電極と接触している。従って、第ｎスラット上に配置された太陽電池セル１４で生じた電力は、第ｎ左リード線および第ｎ右リード線を介して第ｎ正極端子および第ｎ負極端子により取り出される。
【００３７】
図７および図８は、第１スラット１２ａがヘッドボックス１６内に収納されて、図５および図６の状態に対して各スラットがスラット１枚分上がったときの各スラットのピン状電極とリード線の接続状態を説明するための図である。図７は、太陽電池ブラインド１０を室外側から見た図であり、図８は、太陽電池ブラインド１０を室内側から見た図である。
【００３８】
図７に示すように、各スラットがスラット１枚分上がったとき、第２スラット１２ｂの第２左ピン状電極２６Ｌｂは第１左リード線３０Ｌａの第１左電極３８Ｌａと接触し、第２右ピン状電極２６Ｒｂは第１右リード線３０Ｒａの第１右電極３８Ｒａと接触している。従って、第２スラット１２ｂ上に配置された太陽電池セル１４で生じた電力は、第１左リード線３０Ｌａおよび第１右リード線３０Ｒａを介して第１正極端子４０Ｌａおよび第１負極端子４０Ｒａにより取り出される。
【００３９】
第３スラット１２ｃ〜第１０スラット１２ｊについても同様であり、例えば図８に示すように第１０スラット１２ｊの第１０左ピン状電極２６Ｌｊは第９左リード線３０Ｌｉの第９左電極３８Ｌｉと接触し、第１０右ピン状電極２６Ｒｊは第９右リード線３０Ｒｉの第９右電極３８Ｒｉと接触している。従って、第１０スラット１２ｊ上に配置された太陽電池セル１４で生じた電力は、第９左リード線３０Ｌｉおよび第９右リード線３０Ｒｉを介して第９正極端子４０Ｌｉおよび第９負極端子４０Ｒｉにより取り出される。
【００４０】
まとめると、第１スラット１２ａがヘッドボックス１６内に収納されて、各スラットがスラット１枚分上がったとき、第ｎスラット（ｎは２〜１０の整数）の第ｎ左ピン状電極は第ｎ−１左リード線の第ｎ−１左電極と接触し、第ｎ右ピン状電極は第ｎ−１右リード線の第ｎ−１右電極と接触している。従って、第ｎスラット上に配置された太陽電池セル１４で生じた電力は、第ｎ−１左リード線および第ｎ−１右リード線を介して第ｎ−１正極端子および第ｎ−１負極端子により取り出される。
【００４１】
このように、本実施形態に係る太陽電池ブラインド１０では、第１スラット１２ａがヘッドボックス１６内に収納されて、各スラットがスラット１枚分上がったときであっても、残りの第２スラット１２ｂ〜第１０スラット１２ｊに配置された太陽電池セル１４からの出力を好適に回収することができる。
【００４２】
図７および図８では、第１スラット１２ａがヘッドボックス１６内に収納された場合について説明したが、本実施形態に係る太陽電池ブラインド１０では、何枚のスラットがヘッドボックス１６内に収納された場合であっても、残りの収納されていないスラットに配置された太陽電池セル１４で生じた電力を取り出すことができる。すなわち、ｍ枚のスラットがヘッドボックス１６内に収納されて、各スラットがスラットｍ枚分上がったとき、第ｎスラットの第ｎ左ピン状電極は第ｎ−ｍ左リード線の第ｎ−ｍ左電極と接触し、第ｎ右ピン状電極は第ｎ−ｍ右リード線の第ｎ−ｍ右電極と接触している。従って、第ｎスラット上に配置された太陽電池セル１４で生じた電力は、第ｎ−ｍ左リード線および第ｎ−ｍ右リード線を介して第ｎ−ｍ正極端子および第ｎ−ｍ負極端子により取り出される。
【００４３】
以上のように構成された太陽電池ブラインド１０では、複数のリード線３０はガイドレール３２に設けられた配線空間３６内に固定的に配置される。すなわち、スラット１２が昇降しても、リード線３０は移動しない。従って、スラット１２を引き上げて畳んだときにリード線３０が嵩張るという事態が生じることはない。
【００４４】
また、スラット１２から隔離されたガイドレール３２内の配線空間３６にリード線３０を配線することにより、スラット１２とリード線３０との干渉を防止できるので、スラットの昇降時や角度調整時に断線が生じる事態を回避できる。また、配線空間３６内にリード線３０を隠すことができるので、太陽電池ブラインド１０の美観を向上できる。
【００４５】
また、ガイドレール３２に形成される配線空間３６は、スラット１２に形成される貫通孔２４よりも広くすることが容易である。貫通孔２４よりも広い配線空間３６にリード線３０を配線することにより、貫通孔２４を通す場合よりも太いリード線３０を採用することができるので、取り出し可能な電力を向上できる。また、太いリード線３０を採用した場合、リード線３０の発熱を抑制できるので、安全性を向上できる。
【００４６】
また、貫通孔２４に昇降コード２２とともにリード線３０を通す場合、スラット１２のスムーズな昇降が阻害されるおそれがあるが、本実施形態のようにガイドレール３２の配線空間３６にリード線３０を配線した場合にはそのような事態を回避できる。
【００４７】
このように、本実施形態に係る太陽電池ブラインド１０によれば、各スラット１２に配置した太陽電池セル１４に対して好適に配線することができる。
【００４８】
上述の実施形態では、１枚のスラット１２上に配置された複数の太陽電池セル１４を直列に接続し、直列に接続された太陽電池セル１４で生じた電力を一対の正極および負極端子から取り出している。このように複数の太陽電池セルを電気的に直列に接続して必要な所定の電圧を得られるようにしたモジュールは、太陽電池クラスタと称される。
【００４９】
複数のスラットの太陽電池セル１４を直列につなぐことにより、より高い電圧を得ることのできる太陽電池クラスタを構成することができる。例えば、第１負極端子４０Ｒａと第２正極端子４０Ｌｂとを接続して太陽電池クラスタを構成すれば、第１スラット１２ａ上に配置された太陽電池セル１４と第２スラット１２ｂ上に配置された太陽電池セル１４とが直列に接続されるので、第１正極端子４０Ｌａと第２負極端子４０Ｒｂの間から、１枚のスラットのときの２倍の電圧を取り出すことができる。
【００５０】
図９は、本発明の実施形態に係る太陽電池ブラインドの変形例を説明するための要部概略断面図である。図９は、スラット１２の右ピン状電極２６Ｒが挿入された右配線空間３６Ｒの部分拡大図である。本変形例に係る太陽電池ブラインド９０では、右配線空間３６Ｒ内に、リード線に代えて、複数（ここでは１０本）のプリント配線４２（第１右プリント配線４２Ｒａ〜第１０右プリント配線４２Ｒｊ）が固定的に配置される。図９に示すように、これら１０本のプリント配線４２は、半分ずつ右ピン状電極２６Ｒを挟んで配置される。右ピン状電極２６Ｒを挟んだ状態において、各プリント配線４２は右ピン状電極２６Ｒに当接している。第１右プリント配線４２Ｒａ〜第５右プリント配線４２Ｒｅは、スラット１２に近い位置から順に、右配線空間３６Ｒにおける室外側の内壁に印刷される。すなわち、第１右プリント配線４２Ｒａが最もスラット１２に近い位置に印刷され、第５右プリント配線４２Ｒｅが最もスラット１２から離れた位置に印刷される。一方、第６右プリント配線４２Ｒｆ〜第１０右プリント配線４２Ｒｊは、スラット１２に近い位置から順に、右配線空間３６Ｒにおける室内側の内壁に印刷される。すなわち、第６右プリント配線４２Ｒｆが最もスラット１２に近い位置に印刷され、第１０右プリント配線４２Ｒｊが最もスラット１２から離れた位置に印刷される。
【００５１】
各プリント配線４２は、表面が絶縁体で被覆されている。各プリント配線４２にはそれぞれ一カ所ずつ絶縁体の被覆が剥がされて導体が露出した電極が形成されている。電極が形成される高さは、プリント配線毎に異なる。図９の断面図では、第１右プリント配線４２Ｒａだけ絶縁体の被覆が剥がされて第１右電極４４Ｒａが形成されており、右ピン状電極２６Ｒと電気的に接触している。その他の第２右プリント配線４２Ｒｂ〜第１０右プリント配線４２Ｒｊは、導体の表面に絶縁体の被覆４６が形成されており、右ピン状電極２６Ｒと電気的に接触しないようになっている。
【００５２】
本変形例に係る太陽電池ブラインド９０では、配線空間３６の内壁にプリント配線４２を印刷することにより配線を配線空間３６内に配置できるので、上述のようにリード線３０を配線空間３６内に配置する場合と比較して、配線の配置が容易であるという利点がある。
【００５３】
図１０は、本発明の別の実施形態に係る太陽電池ブラインド１００を説明するための図である。本実施形態に係る太陽電池ブラインド１００も、１０枚のスラット（第１スラット１２ａ〜第１０スラット１２ｊ）を備える。図１０は、１０枚のスラットの全てが降りた状態を示す。図１０は、太陽電池ブラインド１００を室外側から見た図である。
【００５４】
本実施形態に係る太陽電池ブラインド１００は、５枚のスラット上に配置される太陽電池セル１４が直列に接続されて太陽電池クラスタが形成されるように配線される。すなわち、第１スラット１２ａ〜第５スラット１２ｅに配置された太陽電池セル１４が直列に接続されて第１太陽電池クラスタが形成され、第６スラット１２ｆ〜第１０スラット１２ｊに配置された太陽電池セル１４が直列に接続されて第２太陽電池クラスタが形成される。
【００５５】
太陽電池ブラインド１００では、ガイドレール３２に形成される左配線空間３６Ｌの室外側に、スラットに近い位置から順に、第１左リード線１３０Ｌａ〜第６左リード線１３０Ｌｆが鉛直方向に配置される。また、右配線空間３６Ｒの室外側には、スラットに近い位置から順に、第１右リード線１３０Ｒａ〜第６右リード線１３０Ｒｆが鉛直方向に配置される。図１０に示すように、各リード線の延在方向と各スラットのピン状電極の延在方向は垂直に交差している。
【００５６】
本実施形態に係る太陽電池ブラインド１００においては、各リード線にそれぞれ１つまたは２つの電極が形成されている。電極が形成される高さは、リード線毎に異なる。
【００５７】
第１左リード線１３０Ｌａには、第１左ピン状電極２６Ｌａと交差する位置に、第１左電極１３８Ｌａが形成される。第２左リード線１３０Ｌｂには、第２左ピン状電極２６Ｌｂ、第３左ピン状電極２６Ｌｃと交差する位置に、第２左電極１３８Ｌｂ、第２’左電極１３８Ｌｂ’が形成される。第３左リード線１３０Ｌｃには、第４左ピン状電極２６Ｌｄ、第５左ピン状電極２６Ｌｅと交差する位置に、第３左電極１３８Ｌｃ、第３’左電極１３８Ｌｃ’が形成される。第４左リード線１３０Ｌｄには、第６左ピン状電極２６Ｌｆと交差する位置に、第４左電極１３８Ｌｄが形成される。第５左リード線１３０Ｌｅには、第７左ピン状電極２６Ｌｇ、第８左ピン状電極２６Ｌｈと交差する位置に、第５左電極１３８Ｌｅ、第５’左電極１３８Ｌｅ’が形成される。第６左リード線１３０Ｌｆには、第７左ピン状電極２６Ｌｇ、第８左ピン状電極２６Ｌｈと交差する位置に、第５左電極１３８Ｌｅ、第５’左電極１３８Ｌｅ’が形成される。
【００５８】
第１右リード線１３０Ｒａには、第１右ピン状電極２６Ｒａ、第２右ピン状電極２６Ｒｂと交差する位置に、第１右電極１３８Ｒａ、第１’右電極１３８Ｒａ’が形成される。第２右リード線１３０Ｒｂには、第３右ピン状電極２６Ｒｃ、第４右ピン状電極２６Ｒｄと交差する位置に、第２右電極１３８Ｒｂ、第２’右電極１３８Ｒｂ’が形成される。第３右リード線１３０Ｒｃには、第５右ピン状電極２６Ｒｅと交差する位置に、第３右電極１３８Ｒｃが形成される。第４右リード線１３０Ｒｄには、第６右ピン状電極２６Ｒｆ、第７右ピン状電極２６Ｒｇと交差する位置に、第４右電極１３８Ｒｄ、第４’右電極１３８Ｒｄ’が形成される。第５右リード線１３０Ｒｅには、第８右ピン状電極２６Ｒｈ、第９右ピン状電極２６Ｒｉと交差する位置に、第５右電極１３８Ｒｅ、第５’右電極１３８Ｒｅ’が形成される。第６右リード線１３０Ｒｆには、第１０右ピン状電極２６Ｒｊと交差する位置に、第６右電極１３８Ｒｆが形成される。
【００５９】
第１左リード線１３０Ｌａ〜第６左リード線３０Ｌｆは、外部接続の第１正極端子１４０Ｌａ〜第６正極端子１４０Ｌｆに接続される。第１右リード線１３０Ｒａ〜第６右リード線１３０Ｒｆは、外部接続の第１負極端子１４０Ｒａ〜第６負極端子１４０Ｒｆに接続される。
【００６０】
図１０には、電流の流れを示すために太線矢印が記載されている。図１０に示すように、全てのスラットが降りているとき、第１スラット１２ａの第１左ピン状電極２６Ｌａは第１左リード線１３０Ｌａの第１左電極１３８Ｌａと接触し、第１右ピン状電極２６Ｒａは第１右リード線１３０Ｒａの第１右電極１３８Ｒａと接触している。また、第２スラット１２ｂの第２右ピン状電極２６Ｒｂは第１右リード線１３０Ｒａの第１’右電極１３８Ｒａ’と接触し、第２左ピン状電極２６Ｌｂは第２左リード線１３０Ｌｂの第２左電極１３８Ｌｂと接触している。また、第３スラット１２ｃの第３左ピン状電極２６Ｌｃは第２左リード線１３０Ｌｂの第２’左電極１３８Ｌｂ’と接触し、第３右ピン状電極２６Ｒｃは第２右リード線１３０Ｒｂの第２右電極１３８Ｒｂと接触している。また、第４スラット１２ｄの第４右ピン状電極２６Ｒｄは第２右リード線１３０Ｒｂの第２’右電極１３８Ｒｂ’と接触し、第４左ピン状電極２６Ｌｄは第３左リード線１３０Ｌｃの第３左電極１３８Ｌｃと接触している。また、第５スラット１２ｅの第５左ピン状電極２６Ｌｅは第３左リード線１３０Ｌｃの第３’左電極１３８Ｌｃ’と接触し、第５右ピン状電極２６Ｒｅは第３右リード線１３０Ｒｃの第３右電極１３８Ｒｃと接触している。従って、第１スラット１２ａ〜第５スラット１２ｅに配置された太陽電池セル１４（すなわち第１太陽電池クラスタ）で生じた電力は、第１左リード線１３０Ｌａおよび第３右リード線１３０Ｒｃを介して第１正極端子１４０Ｌａおよび第３負極端子１４０Ｒｃにより取り出される。
【００６１】
第６スラット１２ｆ〜第１０スラット１２ｊに配置された太陽電池セル１４（すなわち第２太陽電池クラスタ）についても同様であり、第２太陽電池クラスタで生じた電力は、第４左リード線１３０Ｌｄおよび第６右リード線３０Ｒｆを介して第４正極端子１４０Ｌｄおよび第６負極端子１４０Ｒｆにより取り出される。
【００６２】
このように、本実施形態に係る太陽電池ブラインド１００によれば、全てのスラットが降りているとき、２つの太陽電池クラスタから生じた電力を回収できる。
【００６３】
図１１は、本発明の別の実施形態に係る太陽電池ブラインド１００において、第１スラット１２ａがヘッドボックス１６内に収納されて、図１０に示す状態に対して各スラットがスラット１枚分上がったときの各スラットのピン状電極とリード線の接続状態を説明するための図である。
【００６４】
図１１に示すように、各スラットがスラット１枚分上がったとき、第２スラット１２ｂの第２左ピン状電極２６Ｌｂは第１左リード線１３０Ｌａの第１左電極１３８Ｌａと接触し、第２右ピン状電極２６Ｒｂは第１右リード線１３０Ｒａの第１右電極１３８Ｒａと接触している。また、第３スラット１２ｃの第３右ピン状電極２６Ｒｃは第１右リード線１３０Ｒａの第１’右電極１３８Ｒａ’と接触し、第３左ピン状電極２６Ｌｃは第２左リード線１３０Ｌｂの第２左電極１３８Ｌｂと接触している。また、第４スラット１２ｄの第４左ピン状電極２６Ｌｄは第２左リード線１３０Ｌｂの第２’左電極１３８Ｌｂ’と接触し、第４右ピン状電極２６Ｒｄは第２右リード線１３０Ｒｂの第２右電極１３８Ｒｂと接触している。また、第５スラット１２ｅの第５右ピン状電極２６Ｒｅは第２右リード線１３０Ｒｂの第２’右電極１３８Ｒｂ’と接触し、第５左ピン状電極２６Ｌｅは第３左リード線１３０Ｌｃの第３左電極１３８Ｌｃと接触している。また、第６スラット１２ｆの第６左ピン状電極２６Ｌｆは第３左リード線１３０Ｌｃの第３’左電極１３８Ｌｃ’と接触し、第６右ピン状電極２６Ｒｆは第３右リード線１３０Ｒｃの第３右電極１３８Ｒｃと接触している。従って、各スラットがスラット１枚分上がったときは、第２スラット１２ｂ〜第６スラット１２ｆに配置された太陽電池セル１４が第１太陽電池クラスタを構成し、この第１太陽電池クラスタで生じた電力は、第１左リード線１３０Ｌａおよび第３右リード線３０Ｒｃを介して第１正極端子１４０Ｌａおよび第３負極端子１４０Ｒｃにより取り出される。
【００６５】
次に第２太陽電池クラスタについて説明する。各スラットがスラット１枚分上がったときは、第７スラット１２ｇ〜第９スラット１２ｉの３枚のスラットに配置された太陽電池セル１４により第２太陽電池クラスタが構成される。第７スラット１２ｇの第７左ピン状電極２６Ｌｇは第４左リード線１３０Ｌｄの第４左電極１３８Ｌｄと接触し、第７右ピン状電極２６Ｒｇは第４右リード線１３０Ｒｄの第４右電極１３８Ｒｄと接触している。また、第８スラット１２ｈの第８右ピン状電極２６Ｒｈは第４右リード線１３０Ｒｄの第４’右電極１３８Ｒｄ’と接触し、第８左ピン状電極２６Ｌｈは第５左リード線１３０Ｌｅの第５左電極１３８Ｌｅと接触している。また、第９スラット１２ｉの第９左ピン状電極２６Ｌｉは第５左リード線１３０Ｌｅの第５’左電極１３８Ｌｅ’と接触し、第９右ピン状電極２６Ｒｉは第５右リード線１３０Ｒｅの第５右電極１３８Ｒｅと接触している。従って、第２太陽電池クラスタで生じた電力は、第４左リード線１３０Ｌｄおよび第５右リード線１３０Ｒｅを介して第４正極端子１４０Ｌｄおよび第５負極端子１４０Ｒｅにより取り出される。
【００６６】
このように、本実施形態に係る太陽電池ブラインド１００によれば、第１スラット１２ａがヘッドボックス１６内に収納されて、各スラットがスラット１枚分上がったときであっても、第１太陽電池クラスタとして５枚のスラット上に配置された太陽電池セル１４で生じた電力を回収できるとともに、第２太陽電池クラスタとして３枚のスラット上に配置された太陽電池セル１４からの出力を好適に回収することができる。この場合、第２太陽電池クラスタの電圧は、第１太陽電池クラスタの電圧よりも低くなる。従って、第２太陽電池クラスタの電圧を第１太陽電池クラスタの電圧に合わせるための昇圧回路を設けてもよい。あるいは、第２太陽電池クラスタの電圧が一定電圧未満の場合には、第２太陽電池クラスタの出力を切り捨てる回路を設けてもよい。
【００６７】
図１０では、１枚のスラットがヘッドボックス１６内に収納された場合について説明したが、２枚以上のスラットがヘッドボックス１６内に収納された場合でも同様に考えることができる。５枚以上のスラットがヘッドボックス１６内に収容された場合には、第２太陽電池クラスタを構成するスラットは存在しなくなるので、第１太陽電池クラスタのみからの電力を回収することになる。
【００６８】
本実施形態に係る太陽電池ブラインド１００においても、複数のリード線１３０はガイドレール３２に設けられた配線空間３６内に固定的に配置される。従って、スラット１２を引き上げて畳んだときにリード線１３０が嵩張るという事態が生じることはない。
【００６９】
また、断線を防止できる点、美観を向上できる点、取り出し可能な電力を向上できる点、リード線１３０の発熱を抑制して安全性を向上できる点、スラット１２をスムーズに昇降できる点についても上述の太陽電池ブラインド１０と同様である。このように、本実施形態に係る太陽電池ブラインド１００によれば、各スラット１２に配置した太陽電池セル１４に対して好適に配線することができる。
【００７０】
図１２は、本発明のさらに別の実施形態に係る太陽電池ブラインド２００を説明するための図である。本実施形態に係る太陽電池ブラインド２００は、８枚のスラット（第１スラット１２ａ〜第８スラット１２ｈ）を備える。図１２は、８枚のスラットの全てが降りた状態を示す。図１２は、太陽電池ブラインド２００を室外側から見た図である。
【００７１】
本実施形態に係る太陽電池ブラインド２００は、４枚のスラット上に配置される太陽電池セル１４が直列に接続されて太陽電池クラスタが形成されるように配線される。すなわち、第１スラット１２ａ〜第４スラット１２ｄに配置された太陽電池セル１４が直列に接続されて第１太陽電池クラスタが形成され、第５スラット１２ｅ〜第８スラット１２ｈに配置された太陽電池セル１４が直列に接続されて第２太陽電池クラスタが形成される。
【００７２】
太陽電池ブラインド１００では、ガイドレール３２に形成される左配線空間３６Ｌの室外側に、スラットに近い位置から順に、第１左リード線２３０Ｌａ〜第５左リード線２３０Ｌｅが鉛直方向に配置される。また、右配線空間３６Ｒの室外側には、スラットに近い位置から順に、第１右リード線２３０Ｒａ〜第５右リード線２３０Ｒｅが鉛直方向に配置される。図１２に示すように、各リード線の延在方向と各スラットのピン状電極の延在方向は垂直に交差している。
【００７３】
本実施形態に係る太陽電池ブラインド２００においても、各リード線にそれぞれ１つまたは２つの電極が形成されている。電極が形成される高さは、リード線毎に異なる。
【００７４】
第１左リード線２３０Ｌａには、第１左ピン状電極２６Ｌａと交差する位置に、第１左電極２３８Ｌａが形成される。第２左リード線２３０Ｌｂには、第２左ピン状電極２６Ｌｂ、第３左ピン状電極２６Ｌｃと交差する位置に、第２左電極２３８Ｌｂ、第２’左電極２３８Ｌｂ’が形成される。第３左リード線１３０Ｌｃには、第４左ピン状電極２６Ｌｄと交差する位置に、第３左電極３３８Ｌｃが形成される。第４左リード線２３０Ｌｄには、第５左ピン状電極２６Ｌｅ、第６左ピン状電極２６Ｌｆと交差する位置に、第４左電極２３８Ｌｄ、第４’左電極２３８Ｌｄ’が形成される。第５左リード線２３０Ｌｅには、第７左ピン状電極２６Ｌｇ、第８左ピン状電極２６Ｌｈと交差する位置に、第５左電極２３８Ｌｅ、第５’左電極２３８Ｌｅ’が形成される。
【００７５】
第１右リード線２３０Ｒａには、第１右ピン状電極２６Ｒａ、第２右ピン状電極２６Ｒｂと交差する位置に、第１右電極２３８Ｒａ、第１’右電極２３８Ｒａ’が形成される。第２右リード線２３０Ｒｂには、第３右ピン状電極２６Ｒｃ、第４右ピン状電極２６Ｒｄと交差する位置に、第２右電極２３８Ｒｂ、第２’右電極２３８Ｒｂ’が形成される。第３右リード線２３０Ｒｃには、第５右ピン状電極２６Ｒｅと交差する位置に、第３右電極２３８Ｒｃが形成される。第４右リード線２３０Ｒｄには、第６右ピン状電極２６Ｒｆ、第７右ピン状電極２６Ｒｇと交差する位置に、第４右電極２３８Ｒｄ、第４’右電極２３８Ｒｄ’が形成される。第５右リード線２３０Ｒｅには、第８右ピン状電極２６Ｒｈと交差する位置に、第５右電極２３８Ｒｅが形成される。
【００７６】
本実施形態に係る太陽電池ブラインド２００においては、５本の左リード線のうち、第１左リード線２３０Ｌａ、第２左リード線２３０Ｌｂ、第４左リード線２３０Ｌｄおよび第５左リード線２３０Ｌｅは、それぞれ外部接続の第１正極端子２４０Ｌａ、第２正極端子２４０Ｌｂ、第４正極端子２４０Ｌｄおよび第５正極端子２４０Ｌｅに接続される。一方、残りの第３左リード線２３０Ｌｃは、外部接続の第３負極端子２４０Ｌｃに接続される。
【００７７】
また、５本の右リード線のうち、第１右リード線２３０Ｒａ、第２右リード線２３０Ｒｂ、第４右リード線２３０Ｒｄおよび第５右リード線２３０Ｒｅは、それぞれ外部接続の第１負極端子２４０Ｒａ、第２負極端子２４０Ｒｂ、第４負極端子２４０Ｒｄおよび第５負極端子２４０Ｒｅに接続される。一方、残りの第３右リード線２３０Ｒｃは、外部接続の第３正極端子２４０Ｒｃに接続される。
【００７８】
図１２には、電流の流れを示すために太線矢印が記載されている。図１２に示すように、全てのスラットが降りているとき、第１スラット１２ａの第１左ピン状電極２６Ｌａは第１左リード線２３０Ｌａの第１左電極２３８Ｌａと接触し、第１右ピン状電極２６Ｒａは第１右リード線２３０Ｒａの第１右電極２３８Ｒａと接触している。また、第２スラット１２ｂの第２右ピン状電極２６Ｒｂは第１右リード線２３０Ｒａの第１’右電極２３８Ｒａ’と接触し、第２左ピン状電極２６Ｌｂは第２左リード線２３０Ｌｂの第２左電極２３８Ｌｂと接触している。また、第３スラット１２ｃの第３左ピン状電極２６Ｌｃは第２左リード線２３０Ｌｂの第２’左電極２３８Ｌｂ’と接触し、第３右ピン状電極２６Ｒｃは第２右リード線２３０Ｒｂの第２右電極２３８Ｒｂと接触している。また、第４スラット１２ｄの第４右ピン状電極２６Ｒｄは第２右リード線２３０Ｒｂの第２’右電極２３８Ｒｂ’と接触し、第４左ピン状電極２６Ｌｄは第３左リード線２３０Ｌｃの第３左電極２３８Ｌｃと接触している。従って、第１スラット１２ａ〜第４スラット１２ｄに配置された太陽電池セル１４（すなわち第１太陽電池クラスタ）で生じた電力は、第１左リード線２３０Ｌａおよび第３左リード線２３０Ｌｃを介して第１正極端子２４０Ｌａおよび第３負極端子２４０Ｌｃにより取り出される。
【００７９】
第５スラット１２ｅ〜第８スラット１２ｈに配置された太陽電池セル１４（すなわち第２太陽電池クラスタ）についても同様であり、第２太陽電池クラスタで生じた電力は、第３右リード線２３０Ｒｃおよび第５右リード線３０Ｒｅを介して第３正極端子２４０Ｒｃおよび第５負極端子２４０Ｒｅにより取り出される。
【００８０】
このように、本実施形態に係る太陽電池ブラインド２００においても、全てのスラットが降りているとき、２つの太陽電池クラスタから生じた電力を回収できる。
【００８１】
図１３は、本発明のさらに別の実施形態に係る太陽電池ブラインド２００において、第１スラット１２ａがヘッドボックス１６内に収納されて、図１２に示す状態に対して各スラットがスラット１枚分上がったときの各スラットのピン状電極とリード線の接続状態を説明するための図である。
【００８２】
図１３に示すように、各スラットがスラット１枚分上がったとき、第２スラット１２ｂの第２左ピン状電極２６Ｌｂは第１左リード線２３０Ｌａの第１左電極２３８Ｌａと接触し、第２右ピン状電極２６Ｒｂは第１右リード線２３０Ｒａの第１右電極２３８Ｒａと接触している。また、第３スラット１２ｃの第３右ピン状電極２６Ｒｃは第１右リード線２３０Ｒａの第１’右電極２３８Ｒａ’と接触し、第３左ピン状電極２６Ｌｃは第２左リード線２３０Ｌｂの第２左電極２３８Ｌｂと接触している。また、第４スラット１２ｄの第４左ピン状電極２６Ｌｄは第２左リード線２３０Ｌｂの第２’左電極２３８Ｌｂ’と接触し、第４右ピン状電極２６Ｒｄは第２右リード線２３０Ｒｂの第２右電極２３８Ｒｂと接触している。また、第５スラット１２ｅの第５右ピン状電極２６Ｒｅは第２右リード線２３０Ｒｂの第２’右電極２３８Ｒｂ’と接触し、第５左ピン状電極２６Ｌｅは第３左リード線２３０Ｌｃの第３左電極２３８Ｌｃと接触している。従って、各スラットがスラット１枚分上がったときは、第２スラット１２ｂ〜第５スラット１２ｅに配置された太陽電池セル１４が第１太陽電池クラスタを構成し、この第１太陽電池クラスタで生じた電力は、第１左リード線２３０Ｌａおよび第３左リード線２３０Ｌｃを介して第１正極端子２４０Ｌａおよび第３負極端子２４０Ｌｃにより取り出される。
【００８３】
次に第２太陽電池クラスタについて説明する。各スラットがスラット１枚分上がったときは、第６スラット１２ｆ〜第７スラット１２ｇの２枚のスラットに配置された太陽電池セル１４により第２太陽電池クラスタが構成される。第６スラット１２ｆの第６右ピン状電極２６Ｒｆは第３右リード線２３０Ｒｃの第３右電極２３８Ｒｃと接触し、第６左ピン状電極２６Ｌｆは第４左リード線２３０Ｌｄの第４左電極２３８Ｌｄと接触している。また、第７スラット１２ｇの第７左ピン状電極２６Ｌｇは第４左リード線２３０Ｌｄの第４’左電極２３８Ｌｄ’と接触し、第７右ピン状電極２６Ｒｇは第４右リード線２３０Ｒｄの第４右電極２３８Ｒｄと接触している。従って、第２太陽電池クラスタで生じた電力は、第３右リード線２３０Ｒｃおよび第４右リード線２３０Ｒｄを介して第３正極端子２４０Ｒｃおよび第４負極端子２４０Ｒｄにより取り出される。
【００８４】
このように、本実施形態に係る太陽電池ブラインド２００によれば、第１スラット１２ａがヘッドボックス１６内に収納されて、各スラットがスラット１枚分上がったときであっても、第１太陽電池クラスタとして４枚のスラット上に配置された太陽電池セル１４で生じた電力を回収できるとともに、第２太陽電池クラスタとして２枚のスラット上に配置された太陽電池セル１４からの出力を好適に回収することができる。この場合、第２太陽電池クラスタの電圧は、第１太陽電池クラスタの電圧よりも低くなる。従って、第２太陽電池クラスタの電圧を第１太陽電池クラスタの電圧に合わせるための昇圧回路を設けてもよい。あるいは、第２太陽電池クラスタの電圧が一定電圧未満の場合には、第２太陽電池クラスタの出力を切り捨てる回路を設けてもよい。
【００８５】
図１３では、１枚のスラットがヘッドボックス１６内に収納された場合について説明したが、２枚以上のスラットがヘッドボックス１６内に収納された場合でも同様に考えることができる。４枚以上のスラットがヘッドボックス１６内に収容された場合には、第２太陽電池クラスタを構成するスラットは存在しなくなるので、第１太陽電池クラスタのみからの電力を回収することになる。
【００８６】
本実施形態に係る太陽電池ブラインド２００においても、複数のリード線２３０はガイドレール３２に設けられた配線空間３６内に固定的に配置される。従って、スラット１２を引き上げて畳んだときにリード線２３０が嵩張るという事態が生じることはない。
【００８７】
また、断線を防止できる点、美観を向上できる点、取り出し可能な電力を向上できる点、リード線２３０の発熱を抑制して安全性を向上できる点、スラット１２をスムーズに昇降できる点についても上述の太陽電池ブラインド１０、１００と同様である。このように、本実施形態に係る太陽電池ブラインド２００によれば、各スラット１２に配置した太陽電池セル１４に対して好適に配線することができる。
【００８８】
図１０および図１１で説明した太陽電池ブラインド１００では、１つの太陽電池クラスタは、５枚のスラット１２に配置された太陽電池セル１４により構成されている。このように太陽電池クラスタが奇数枚のスラット１２で構成される場合、１つの太陽電池クラスタにおいて正極と負極はスラット１２の左右反対側となる。一方、図１２および図１３で説明した太陽電池ブラインド１００では、１つの太陽電池クラスタは、４枚のスラット１２に配置された太陽電池セル１４により構成されている。このように太陽電池クラスタが偶数枚のスラット１２で構成される場合、１つの太陽電池クラスタにおいて正極と負極はスラット１２の左右同じ側となる。このように、スラットが偶数枚か奇数枚かに応じて、正極と負極の配置が変わる。また、配線の正極負極による取出し方法の違いは、例えば、図４に示す第１左リード線３０Ｌａ〜第５左リード線３０Ｌｅを正極、第６左リード線３０Ｌｆ〜第１０左リード線３０Ｌｊを負極としてもよく、第１右リード線３０Ｒａ〜第５右リード線３０Ｒｅおよび第６右リード線３０Ｒｆ〜第１０右リード線３０Ｒｊにおいても同様であり、これらすべてを用いて、あらゆる組合せが可能であり、本明細書において図示した実施形態に限定されるものではない。
【００８９】
以上、本発明を実施の形態をもとに説明した。この実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【００９０】
上記では、カーテンウォール構造を有する建物の開口部に太陽電池ブラインドを取り付ける実施形態について説明したが、本発明に係る太陽電池ブラインドは他の構造の建物の開口部に取り付けることも可能である。ガイドレールは、開口部の縦枠であれば方立に限定されず取り付けられてよい。
【００９１】
以上の記載から、下記の発明が認識される。
【００９２】
本発明のある態様の太陽電池ブラインドは、建物の開口部に配置される太陽電池ブラインドであって、縦方向に配列される複数のスラットと、各スラットに設けられる太陽電池セルと、スラットの長さ方向両端から横方向に突出する、太陽電池セルと導通するピン状電極と、開口部の縦枠に設けられる、ピン状電極をスライド可能に保持するガイドレールと、ガイドレールに形成された配線空間内に固定的に配置される、各スラットの太陽電池セルを電気的に接続するための配線と、配線に形成された、ピン状電極と電気的に接触するための電極とを備える。
【００９３】
この態様によると、各スラットの太陽電池セルを電気的に接続するための配線がガイドレールに設けられた配線空間内に固定的に配置される。すなわち、スラットが昇降しても、配線は移動しない。従って、スラットを引き上げて畳んだときにリード線が嵩張るという事態が生じることはない。また、スラットから隔離されたガイドレール内の配線空間に配線を配置することにより、スラットの断線を防止できるとともに、太陽電池ブラインドの美観を向上できる。このように、本態様の太陽電池ブラインドによれば、各スラットに配置した太陽電池セルに対して好適に配線することができる。
【００９４】
配線は、絶縁体で被覆されたリード線から成り、電極は、リード線から被覆が剥がされて導体が露出した部分であってもよい。
【００９５】
配線は、表面が絶縁体で被覆されたプリント配線から成り、電極は、プリント配線から被覆が剥がされて導体が露出した部分であってもよい。
【００９６】
スラットは、第１スラットと、第１スラットの下方に位置する第２スラットとを含み、ピン状電極は、第１スラットに設けられる第１ピン状電極と、第２スラットに設けられる第２ピン状電極とを含み、配線は、第１配線と、第２配線とを含み、電極は、第１配線に形成された第１電極と、第２配線に形成された第２電極とを含み、第１スラットが所定の第１位置にあり且つ第２スラットが所定の第２位置にあるとき、第１ピン状電極は第１電極と電気的に接触し、第２ピン状電極は第２電極と電気的に接触し、第２スラットが第２位置から第１位置に移動したときに、第２ピン状電極が第１配線の第１電極に電気的に接触してもよい。第１位置、第２位置は、例えば全てのスラットが降りているときの第１スラット、第２スラットの位置であってよい。この場合、スラットを移動させた場合であっても、第２スラットに配置された太陽電池セルで生じた電力を取り出すことができる。
【符号の説明】
【００９７】
１  方立、  ２  ガラスパネル、  ３  構造シーラント、  １０、９０、１００、２００  太陽電池ブラインド、  １２  スラット、  １４  太陽電池セル、  １６  ヘッドボックス、  ２０  ラダーコード、  ２２  昇降コード、  ２４  貫通孔、  ２６  ピン状電極、  ３０、  リード線、  ３２  ガイドレール、  ３４  縦長開口部、  ３６  配線空間、  ４２  プリント配線。
【図１】
2019065542.tif 000003
【図２】
2019065542.tif 000004
【図３】
2019065542.tif 000005
【図４】
2019065542.tif 000006
【図５】
2019065542.tif 000007
【図６】
2019065542.tif 000008
【図７】
2019065542.tif 000009
【図８】
2019065542.tif 000010
【図９】
2019065542.tif 000011
【図１０】
2019065542.tif 000012
【図１１】
2019065542.tif 000013
【図１２】
2019065542.tif 000014
【図１３】
2019065542.tif 000015